(57)【要約】      （修正有）【課題】発光素子の温度上昇を抑制するとともにバッテリの温度上昇を抑制し、かつ配線接続を簡素化できる照明器具を提供する。【解決手段】照明器具は、熱伝導性を有するシャーシ３と、発光素子を光源とし、前記シャーシ３に熱的に結合されて配設された主光源部６と、外部電源に接続されて主光源部６を点灯制御するとともに、前記シャーシ３に配設された点灯装置２と、この点灯装置２の近傍であって、主光源部６から熱的に離間して配設されたバッテリ１２と、外部電源からの給電が停止された場合に、バッテリ１２からの給電により点灯される補助光源とを備える。【選択図】図４
2012248456.tif 000002
【特許請求の範囲】
【請求項１】
熱伝導性を有するシャーシと；
発光素子を光源とし、前記シャーシに熱的に結合されて配設された主光源部と；
外部電源に接続されて主光源部を点灯制御するとともに、前記シャーシに配設された点灯装置と；
この点灯装置の近傍であって、主光源部から熱的に離間して配設されたバッテリと；
外部電源からの給電が停止された場合に、バッテリからの給電により点灯される補助光源と；
を具備することを特徴とする照明器具。
【請求項２】
器具取付面に設置された配線器具に対向する開口を略中央部に備えた熱伝導性を有するシャーシと；
前記シャーシの開口に対向して開口を有し、外周部に光入射端面を備えた導光板と；
この導光板の前記光入射端面に前記発光素子の出射光が入射するように配設された主光源部と；
前記シャーシの背面側に配設された点灯装置及びバッテリと；
を具備することを特徴とする請求項１に記載の照明器具。
【発明の詳細な説明】
【技術分野】
【０００１】
本発明の実施形態は、外部電源からの給電が停止された場合に、バッテリからの給電により補助光源を点灯できる照明器具に関する。
【背景技術】
【０００２】
従来、照明器具において、地震等による停電の発生時に、バッテリから給電して非常用光源を点灯し安全性を確保するようにしたものが知られている。
【０００３】
ところで、近時、ＬＥＤの高出力化、高効率化及び普及化に伴い、光源としてＬＥＤを用いた屋内又は屋外で使用される長寿命化が期待できる照明器具が開発されている。この照明器具は、ＬＥＤを基板に複数実装して所定の光量を得るようにしたもので、例えば、天井面等に取付けられてベース照明として用いられている。
【０００４】
ＬＥＤ等の発光素子は、その温度が上昇するに従い、光の出力が低下し、耐用年数も短くなる。このため、ＬＥＤやＥＬ素子等の固体発光素子を光源とする照明器具にとって、耐用年数を延したり発光効率等の特性を改善したりするために、発光素子の温度が上昇するのを抑制することが必要である。そこで、発光素子の温度上昇を抑制する様々な放熱構造が採られている。
【０００５】
このようなＬＥＤ等の発光素子を光源とする照明器具において、地震等の発生による非常時に、バッテリから給電して照明を確保できるような機能を付加することが望まれている。
【先行技術文献】
【特許文献】
【０００６】
【特許文献１】特開２００４−１８５８７５号公報
【特許文献２】特開２００９−２７２１３５号公報
【発明の概要】
【発明が解決しようとする課題】
【０００７】
しかしながら、上記のような照明器具においては、発光素子の点灯時に熱が発生するため、この熱を効果的に放熱する必要がある。一方、バッテリの耐用年数は、温度に依存するという特性がある。このため、バッテリを高温下に配置することを避けなければならない。
【０００８】
本発明は、上記熱的課題に着目してなされたもので、発光素子の温度上昇を抑制するとともにバッテリの温度上昇を抑制し、かつ配線接続を簡素化できる照明器具を提供することを目的とする。
【課題を解決するための手段】
【０００９】
本発明の実施形態による照明器具は、熱伝導性を有するシャーシと、発光素子を光源とし、前記シャーシに熱的に結合されて配設された主光源部と、外部電源に接続されて主光源部を点灯制御するとともに、前記シャーシに配設された点灯装置とを備えている。
【００１０】
また、点灯装置の近傍であって、主光源部から熱的に離間して配設されたバッテリと、外部電源からの給電が停止された場合に、バッテリからの給電により点灯される補助光源とを備えている。
【発明の効果】
【００１１】
本発明の実施形態によれば、発光素子の温度上昇を抑制するとともにバッテリの温度上昇を抑制し、かつ配線接続を簡素化できる照明器具を提供することが可能となる。
【図面の簡単な説明】
【００１２】
【図１】本発明の実施形態に係る照明器具を示す斜視図である。
【図２】同照明器具を分解して示す斜視図である。
【図３】同器具本体を背面側から見て示す斜視図である。
【図４】同器具本体を背面側から見て示す平面図である。
【図５】図４中、Ｘ−Ｘ線に沿って示す断面図である。
【図６】図５中、Ａ部を示す拡大図である。
【図７】図５中、Ｂ部を示す拡大図である。
【図８】図４中、Ｙ−Ｙ線に沿って示す断面図である。
【図９】同器具本体における補助光源点灯ユニットの取付状態を示す斜視図である。
【図１０】同照明器具を示すブロック構成図である。
【図１１】同照明器具の天井面への取付状態を示す断面図である。
【発明を実施するための形態】
【００１３】
以下、本発明の実施形態について図１乃至図１１を参照して説明する。各図においてリード線等による配線接続関係は省略して示している場合がある。また、同一部分には同一符号を付し、重複した説明は省略する。
【００１４】
本実施形態の照明器具は、器具取付面に設置された配線器具としての引掛けシーリングボディに取付けられて使用される形式であり、導光板を用いて例えば、室内の照明を行うものである。
【００１５】
図１乃至図５において、照明器具は、器具本体１と、器具取付面としての天井面Ｃに設置された引掛けシーリングボディＣｂに電気的かつ機械的に接続されるアダプタＡ（図２及び併せて図１１参照）と、赤外線リモコン送信器Ｒとを備えている。器具本体１は、図１に示すように略正方形状の外観に形成され、前面側を光の照射面とし、背面側を天井面Ｃへの取付面としている。
【００１６】
図２に代表して示すように、器具本体１は、点灯装置２と、サポートシャーシ３と、センターシャーシ４と、アダプタガイド５と、主光源部６と、導光板７と、補助部品ユニット８と、本体枠９とを備えている。また、停電等の非常時に、バッテリから給電して照明を確保できる機能を付加するため、補助光源点灯ユニット１０が設けられている。これら各構成要素について順次説明する。
【００１７】
点灯装置２は、図６の参照を加えて説明するように、熱伝導性を有するアルミニウム等の金属製のケース部材２１に覆われるようになっており、このケース部材２１に取付けられて収容された回路基板２２と、この回路基板２２に実装された回路部品２３とを備えている。ケース部材２１は、略直方体形状の薄型の箱状に形成されていて、一長辺側と一短辺側には、当該辺に沿って外方に延出する鍔状の接続部２１ａが形成されている。また、一長辺側と対向する長辺側には、取付舌片２１ｂが延出して形成されている。
【００１８】
回路基板２２は、ガラスエポキシ樹脂等の絶縁材料からなり、略長方形の板状に形成されて、表面側には、制御用ＩＣ、コンデンサ、巻線部品、抵抗素子等の回路部品２３が実装されている。また、電源側に接続される電源コネクタ、主光源部６を接続するための負荷接続用コネクタや補助部品ユニット８を接続するためのハーネス等の配線接続部材が設けられている。さらに、回路基板２２の裏面側には、スイッチング素子や表面実装部品等の比較的高さ寸法の小さい部品が実装されている。
【００１９】
このような回路基板２２は、図６に代表して示すように、図示上、表面側を下側にして樹脂製固定具２２ａによってケース部材２１に取付けられている。樹脂製固定具２２ａは、先端がケース部材２１の背面側から前面側へ突出するように配置されていて、これが回路基板２２に形成された取付穴に圧入されるようになっている。図３乃至図６に示すように、ケース部材２１は、回路基板２２より大きく形成されていて、回路基板２２の取付け状態では、回路基板２２は、鍔状の接続部２１ａ側と離反して配置されるようになっている。
【００２０】
以上のような点灯装置２は、電源コネクタにアダプタＡ側が電気的に接続されて、アダプタＡを介して外部電源である商用交流電源に接続される。したがって、点灯装置２は、この交流電源を受けて直流出力を生成し、負荷接続用コネクタからリード線を介してその直流出力を発光素子６１に供給し、発光素子６１を点灯制御するようになっている。この点灯装置２は、サポートシャーシ３の背面側に位置して取付けられている。
【００２１】
サポートシャーシ３は、放熱部材を兼用しているもので、放熱部材として機能する。サポートシャーシ３は、熱伝導性を有するアルミニウム等の金属材料から比較的広い面積を有して略正方形状に形成されており、背面側に正方形状の浅皿状の凹部３１を有し、この凹部３１の各辺には外側に段状に屈曲して延出する取付片３２が形成されている。また、凹部３１の前面側は、導光板７を支持する支持面として構成されており、さらに、略中央部には、四角形状の開口３３が形成されている。
【００２２】
センターシャーシ４は、前記サポートシャーシ３と一体的に連結されてシャーシ本体を構成するものである。センターシャーシ４は、冷間圧延鋼板等の金属材料から略直方体の箱状に形成されており、一端側（図示上、下側）を開放し、この開放した各辺には外側に向かって水平方向に延出する鍔状の当接部４１が形成されている。また、他端側（図示上、上側）には、円形状の開口４２が形成されている。したがって、センターシャーシ４は、全体としては高さの低い略筒状をなしている。
【００２３】
当接部４１は、導光板７の背面側にサポートシャーシ３を介して当接される部分であり、開口４２は、アダプタＡが挿通される部分である。そして、図６に示すように、センターシャーシ４の当接部４１は、サポートシャーシ３における開口３３の周辺部に上から重合されるように配置され、こられが固定手段によって固着されている。このため、センターシャーシ４の当接部４１は、導光板７を補強する機能を有している。
このようにシャーシ本体は、センターシャーシ４の開口４２から背面側に凹部３１を形成して外周方向に延出し一体化されている。
【００２４】
アダプタガイド５は、図６の参照を加えて示すように、センターシャーシ４と同様に、全体としては高さの低い直方体形状に形成されていて、中央部にアダプタＡが挿通し、係合する係合口５１が設けられており、下端側に外方へ向かう鍔部５２が形成されている。このアダプタガイド５は、その外周面がセンターシャーシ４の内周面に接するように配設され取付けられている。また、アダプタガイド５は、カバー部材Ｃｖが着脱可能に取付けられる着脱機構を備えている。
【００２５】
主光源部６は、図２、図５乃至図７に示すように、発光素子６１が実装された基板６２と、この基板６２が取付けられる取付部材としての取付板６３とから構成されている。
【００２６】
基板６２は、横長の長方形状で絶縁材であるガラスエポキシ樹脂の平板からなり、表面側には銅箔で形成された配線パターンが施されている。また、適宜レジスト層が施されるようになっている。なお、基板６２の材料は、絶縁材とする場合には、セラミックス材料又は合成樹脂材料を適用できる。さらに、金属製とする場合は、アルミニウム等の熱伝導性が良好で放熱性に優れたべース板の一面に絶縁層が積層された金属製のべース基板を適用してもよい。
【００２７】
発光素子６１は、ＬＥＤであり、表面実装型のＬＥＤパッケージである。このＬＥＤパッケージが基板６２の長手方向に沿って多数直線状に並べられて実装され配設されている。ＬＥＤパッケージは、概略的にはセラミックスで形成された本体に配設されたＬＥＤチップと、このＬＥＤチップを封止するエポキシ系樹脂やシリコーン樹脂等のモールド用の透光性樹脂とから構成されている。
【００２８】
ＬＥＤチップは、青色光を発光する青色のＬＥＤチップである。透光性樹脂には、蛍光体が混入されており、白色光を出射できるようにするために、青色の光とは補色の関係にある黄色系の光を放射する黄色蛍光体が使用されている。
【００２９】
なお、ＬＥＤは、ＬＥＤチップを直接基板６２に実装するようにしてもよく、また、砲弾型のＬＥＤを実装するようにしてもよく、実装方式や形式は、格別限定されるものではない。
【００３０】
取付板６３は、アルミニウムや亜鉛めっき鋼板等の熱伝導が良好な材料から作られており、横長で側面が略Ｃ型形状に形成されている。この取付板６３の内側壁には、基板６２が、ねじ止め等によって、その裏面側が密着するように取付けられている。したがって、主光源部６は、取付板６３に基板６２が取付けられてユニット化されている。
【００３１】
本実施形態では、主として図２に示すように、このユニット化された主光源部６が２個用いられており、導光板７の対向する二つの辺に対応して配設されるようになっている。なお、このユニット化された主光源部６は、導光板７の各辺に対応するように配設してもよく、適宜設計に応じて選択することができる。
【００３２】
導光板７は、アクリル樹脂等の透過率の高い材料を用いて四角形状の平板状に形成され、背面側の全面には光を拡散する多数の白色の反射ドットからなるドットパターンが印刷によって形成されているとともに反射シートが設けられている。また、前面側の全面には、拡散シートが設けられている。さらに、導光板７の略中央部には、アダプタガイド５の外形と対応し、また、アダプタＡと対応するように四角形状の開口７１が形成されている。また、この導光板７の外周部である四角形状の各辺、すなわち、側端面は、発光素子６１から出射される光が入射して導光板７内を進行する光入射端面７２として機能するようになっている。
【００３３】
補助部品ユニット８は、横長箱状のケース内にユニット基板及びこの基板に実装された複数の電気的補助部品を備えて構成されている。図１に示すように、本実施形態における電気的補助部品は、第１の赤外線リモコン信号受信部８１及び第２の赤外線リモコン信号受信部８２、補助光源としての保安灯８３、常夜灯８４、スイッチ８５である。
【００３４】
第１の赤外線リモコン信号受信部８１は、商用交流電源により給電されてリモコン送信器Ｒから送出される信号を受信するようになっている。また、第２の赤外線リモコン信号受信部８２は、後述するバッテリ１２により給電されてリモコン送信器Ｒから送出される信号を受信するようになっている。
【００３５】
これら第１の赤外線リモコン信号受信部８１及び第２の赤外線リモコン信号受信部８２は、赤外線受光ＩＣであり、光電変換素子であるフォトダイオードや増幅器等から構成されており、リモコン送信器Ｒから送信される赤外線制御信号を受信して発光素子６１の発光状態等を制御するように動作する。
【００３６】
補助光源としての保安灯８３は、バッテリ１２により給電されて点灯するようになっていて、その光源として表面実装型のＬＥＤパケージが用いられ、このＬＥＤパケージが４個実装されている。保安灯８３の明るさは、常夜灯８４の５〜１０倍程度であることが望ましく、その明るさは２ｍ直下の照度で３〜１９ｌｘ、好適には５ｌｘ程度となるように設定されている。
【００３７】
常夜灯８４は、商用交流電源により給電されて点灯するようになっていて、その光源として前面側にレンズが設けられたＬＥＤのパッケージが１個実装されている。
【００３８】
スイッチ８５は、赤外線リモコン信号受信部８１、８２のチャンネルを切換えるチャンネル設定スイッチである。モニターランプ８６は、例えば、緑色発光のＬＥＤが用いられており、バッテリ１２の充電状態を表示するようになっている。
【００３９】
この補助部品ユニット８は、照明器具、すなわち、器具本体１の外周縁部、具体的には、本体枠９の外周縁部に配設される。したがって、導光板７の発光領域の外側に配設されるようになっている。このように構成された補助部品ユニット８は、複数の電気的補助部品が集中化して設けられていて、本体枠９に取付けられるようになっている。
【００４０】
本体枠９は、ＡＢＳ樹脂やポリカーボネート等の合成樹脂から作られていて、略正方形状であって前記導光板７の寸法より大きな枠状に形成されており、図7に示すように、側壁９１と、この側壁９１の下端部から内側に向かって斜め下方に延出し、さらに内側に向かって斜めに立ち上がる傾斜状部を有する底壁９２とを備えている。また、底壁９２には、複数のボス９３が立設されており、このボス９３には、サポートシャーシ３の取付片３２がねじ止めされるようになっている。
【００４１】
補助光源点灯ユニット１０は、略直方体形状をなしていて、補助光源としての保安灯８３を点灯制御するようになっている。図８及び図９に代表して示すように、補助光源点灯ユニット１０は、ユニットケース１１と、バッテリ１２と、制御回路部１３と、ケースカバー１４とを備えている。
【００４２】
ユニットケース１１は、例えば、金属製のベースケース１１ａと、このベースケース１１ａに上側から嵌め込まれる本体ケース１１ｂとから構成されている。本体ケース１１ｂは、耐熱性を有する合成樹脂材料から作られていて、バッテリ１２を収容する部分と制御回路部１３を収容する部分とを区画するように段状に形成されている。また、ベースケース１１ａの前方側には、係合突起１１ｃが形成されている。
【００４３】
バッテリ１２は、合成樹脂製のケース内に充電可能な二次電池として３個の素電池を用いて構成されている。このバッテリ１２は、前記ユニットケース１１に着脱可能に収容されるようになっている。また、バッテリ１２は、本体ケース１１ｂによってサポートシャーシ３の背面側から離間距離ｄを空けて配設されるようになっている。
【００４４】
制御回路部１３は、バッテリ１２を充電する充電回路や電源遮断検出回路等を備えていて、回路基板１３ａと、この回路基板１３ａに実装された図示しない回路部品とから構成されている。この制御回路部１３は、ユニットケース１１にバッテリ１２と区画されて収容されている。
【００４５】
そして、これらバッテリ１２及び制御回路部１３が収容されたユニットケース１１は、点灯装置２のケース部材２１に取付けられるようになっている。具体的には、ケース部材２１の一側の中央部には、ユニットケース１１の一側と略対応する開口２１ｃが形成されており、この開口２１ｃにユニットケース１１の一側が挿入され、その後、取付ねじが上方からケース部材２１を貫通してユニットケース１１の上面側にねじ込まれる。
【００４６】
ケースカバー１４は、不燃性の材料、例えば金属製の材料で作られていて、ユニットケース１１の上面及び側面を覆うように略箱状に形成されている。さらに、ケースカバー１４の一側面には、前記ベースケース１１ａの係合突起１１ｃが嵌合する係合スリット１４ａが形成され、他側の上面には挿入突起１４ｂが形成されている。
【００４７】
なお、ケースカバー１４の一側の上面には、直方体形状のパッキンＰが取付けられている。さらに、図３乃至図５（図２においてはパッキンＰは省略している）に示すように、サポートシャーシ３の背面側における外周近傍には、直方体形状のパッキンＰが複数個取付けられている。このパッキンＰは、照明器具の天井面Ｃへの取付状態において、天井面Ｃと器具本体１との密着保持性を高める機能を有しており、ケースカバー１４にパッキンＰを配置することにより照明器具の天井面Ｃへの取付状態において、バランスよく安定して取付状態を維持できるようになる。加えて、ケースカバー１４のがたつきを抑制することが可能となる。
【００４８】
主として図９に示すように、ケースカバー１４は、ユニットケース１１を覆うようにユニットケース１１に取付けられる。まず、ケースカバー１４の挿入突起１４ｂをケース部材２１における開口２１ｃの上端部に挿入するとともに、係合スリット１４ａにベースケース１１ａの係合突起１１ｃを嵌合する。次いで、側方から取付ねじＳをケースカバー１４を貫通させてベースケース１１ａにねじ込んで取付ける。
【００４９】
このように不燃性のケースカバー１４によってユニットケース１１を覆うことにより、例えば、故障等の発生によりバッテリ１２が過熱状態となって周りの樹脂部品が発火に至るのを防止することができる。
【００５０】
前記アダプタガイド５には、カバー部材Ｃｖが取付けられている。カバー部材Ｃｖは、図５及び図１１の参照を加えて示すように、アクリル樹脂やポリカーボネート等の透光性を有する合成樹脂材料から略正方形状で前面側が凸となるように形成されている。また、前面側の表面には、拡散性の機能を果たす多数の凹凸が形成されている。このカバー部材Ｃｖは、前記係合口５１に対向して係合口５１を開閉可能に覆うようになっており、さらに、取外し可能になっている。
【００５１】
続いて、アダプタＡは、図２及び図１１に示すように、天井面Ｃに設置された引掛けシーリングボディＣｂに、上面側に設けられた引掛刃によって電気的かつ機械的に接続されるもので略円筒状をなし、周壁の両側には一対の係止部Ａ1が、内蔵されたスプリングによって常時外周側へ突出するように設けられている。この係止部Ａ1は下面側に設けられたレバーを操作することにより没入するようになっている。また、このアダプタＡからは、前記点灯装置２へ接続する図示しない電源コードが導出されていて、点灯装置２とコネクタを介して接続されるようになっている。
【００５２】
赤外線リモコン送信器Ｒは、例えば、周波数３８ｋＨｚのパルス状の特定のコード化された赤外線リモコン制御信号を送信するもので、例えば、全光点灯ボタン、調光点灯ボタン、常夜灯ボタンや消灯ボタン等が設けられている。このリモコン送信器Ｒを補助部品ユニット８、すなわち、第１の赤外線リモコン信号受信部８１及び第２の赤外線リモコン信号受信部８２に向けて操作することによって主光源部６における発光素子６１の発光状態並びに保安灯８３の発光状態、つまり、全光点灯、調光点灯、消灯等の制御を行うことができる。
次に、図１０を参照して本実施形態の動作の概要を説明する。図１０は、ブロック構成の概要を示している。
【００５３】
外部電源である商用交流電源ＡＣには、充電回路１５、電源遮断検出回路１６及びバッテリ１２等が接続されている。また、バッテリ１２には、補助光源としての保安灯８３が接続されている。
【００５４】
通常時の商用交流電源ＡＣから給電されている場合においては、点灯装置２に給電され、この点灯装置２から直流出力が主光源部６に供給され発光素子６１が点灯する。一方、商用交流電源ＡＣから充電回路１５を通じて所定の直流電力がバッテリ１２に充電される。さらに、第１の赤外線リモコン信号受信部８１に給電され、受信部８１が受信可能状態となる。この場合、第２の赤外線リモコン信号受信部８２には給電されておらず、受信部８２は受信可能状態にはない。
【００５５】
したがって、リモコン送信器Ｒを操作することにより、その操作信号が受信部８１からリモコン制御回路１８に送られ、制御手段１７、点灯装置２を介して主光源部６における発光素子６１の発光状態を制御することができる。
【００５６】
地震等の発生によって商用交流電源ＡＣから給電が停止された場合においては、電源遮断検出回路１６は、停電が発生したと判断して、電源遮断検出信号を制御手段１７に送信する。この判断は、商用交流電源ＡＣの電圧が所定時間所定電圧以下であることを検出して行われる。
【００５７】
制御手段１７は、電源遮断検出信号を受信すると、電源を商用交流電源ＡＣからバッテリ１２に切換える制御を実行する。したがって、バッテリ１２から補助光源としての保安灯８３に給電される状態となり、さらに、バッテリ１２から第２の赤外線リモコン信号受信部８２に給電され、受信部８２が受信可能状態となる。
したがって、リモコン送信器Ｒを操作することにより保安灯８３の発光状態を制御することが可能となる。
以上のように商用交流電源ＡＣから給電が停止された場合に、バッテリ１２から給電して保安灯８３によって照明を確保することができる。
【００５８】
このように構成された照明器具において、図５乃至図７に代表して示すように、放熱部材として機能するサポートシャーシ３は、導光板７の背面側に配置され、本体枠９の複数のボス９３にねじ止めされて取付けられている。この状態では、サポートシャーシ３の取付片３２は、主光源部６における取付板６３の上面に面接触して熱的に結合されるようになっている。したがって、取付片３２は、主光源部６とサポートシャーシ３との熱的結合部となっている。
【００５９】
また、点灯装置２の一端側、すなわち、ケース部材２１における接続部２１ａがサポートシャーシ３の熱的結合部である取付片３２に接続されている。具体的には、図６に示すように、ケース部材２１の接続部２１ａがサポートシャーシ３の取付片３２に重合するように面接触して配置されて、接続部２１ａ及び取付片３２を貫通して取付板６３の上面壁にねじ込まれる取付ねじによって接続され、熱的に結合されるようになっている。さらに、ケース部材２１の取付舌片２１ｂがセンターシャーシ４の上面に固定されている。
このような点灯装置２の取付け状態では、回路基板２２は、ケース部材２１における接続部２１ａと離間して配置されるようになる。
【００６０】
さらに、ケース部材２１は、センターシャーシ４の開口４２近傍からサポートシャーシ３の外周部にわたって連続して架設するように設けられているので、センターシャーシ４とサポートシャーシ３とから構成されるシャーシ本体の強度の向上を図ることが可能となる。
【００６１】
続いて、図３、図４、図８及び図９に示すように、バッテリ１２を含む補助光源点灯ユニット１０は、サポートシャーシ３の背面側に配設されている。具体的には、点灯装置２のケース部材２１における一側の中央部に配設されている。したがって、バッテリ１２は、点灯装置２の近傍であって、主光源部６から熱的に離間した位置に配設されるようになっている。つまり、バッテリ１２は、主光源部６の裏面側に接触したり、接近したりすることなく主光源６からの熱的影響を軽減できるような位置に配設されている。
【００６２】
加えて、バッテリ１２は、サポートシャーシ３の背面側から離間距離ｄを空けて配設されているので、さらに、主光源部６からサポートシャーシ３に伝導される熱から隔離されるようになり、一層の熱的影響の軽減を期待することができる。
【００６３】
さらに、バッテリ１２は、点灯装置２の近傍に配設されるので、例えば、リード線等の配線長を短くすることが可能で、配線接続関係の簡素化を図ることが可能となる。
【００６４】
また、導光板７における開口７１の前面側の周縁部は、アダプタガイド５の下端側の鍔部５２に支持されている。図７に代表して示すように、導光板７の前面側の外周縁部は、本体枠９における底壁９２の傾斜状部に支持されている。一方、前記のように導光板７の背面側には、サポートシャーシ３が配設されており、導光板７は、サポートシャーシ３と、前記アダプタガイド５の鍔部５２及び本体枠９の底壁９２の傾斜状部とによって挟持されるように配置されている。この状態においては、導光板７の光入射端面７２は、発光素子６１と対向して位置し、発光素子６１から出射される光が入射するようになっている。
【００６５】
次に、上記のように構成された照明器具の天井面Ｃへの取付状態について、図１１を参照して説明する。なお、図においてアダプタＡから導出される電源コードの図示は省略している。
【００６６】
図１１に示すように、天井面Ｃに引掛けシーリングボディＣｂが設置されている。また、この引掛けシーリングボディＣｂには、アダプタＡが電気的かつ機械的に接続されている。この状態からカバー部材Ｃｖを開き又は取外して係合口５１を開放状態として図示矢印で示すように、器具本体１におけるアダプタガイド５の係合口５１をアダプタＡに合わせながら、アダプタＡの係止部Ａ1がアダプタガイド５の係合口５１に確実に係合するまで器具本体１を下方から手で押し上げて取付け操作を行い、カバー部材Ｃｖで係合口５１を覆い閉塞状態とする。
【００６７】
これにより、器具本体１の取付状態では、アダプタＡがセンターシャーシ４の開口４２を挿通し、アダプタＡの係止部Ａ1がアダプタガイド５の係合口５１に係止されて取付状態が保持される。
【００６８】
また、器具本体１を取外す場合には、カバー部材Ｃｖを開き又は取外し、アダプタＡに設けられているレバーを操作してアダプタＡの係止部Ａ1の係合を解くことにより取外すことができる。
【００６９】
照明器具の取付状態において、商用交流電源から点灯装置２に電力が供給されると、基板６２を介して発光素子６１に通電され、各発光素子６１が点灯する。発光素子６１から出射された光は、導光板７の光入射端面７２へ入射し、この入射した光は、導光板７内で全反射して導光板７全体に広がるとともに、背面側に形成された反射ドットからなるドットパターンによって拡散反射され、さらに前面側の拡散シートによって拡散されて均質化された光が前面側から放射される。また、導光板７から漏れた一部の光は、反射シートによって反射され前面側に放射されて再利用されるようになる。
カバー部材Ｃｖは、透光性を有しているので、導光板７から漏れた光を透過させることができ、暗さ感を抑制できる。
また、商用交流電源から給電が停止された場合には、バッテリ１２から給電して保安灯８３によって照明を確保することができる。
【００７０】
主光源部６の各発光素子６１の発光中は、熱が発生する。この熱は、基板６２裏面側から取付板６３に伝導され、サポートシャーシ３に伝導され、サポートシャーシ３の広い面積で効果的に放熱される。したがって、発光素子６１の温度上昇を抑制することができる。
【００７１】
この場合、バッテリ１２は、主光源部６から熱的に離間した位置に配設されているので、バッテリ１２の温度上昇を抑制することができ、所期の耐用年数を確保することが可能となり、信頼性を保つことができる。
【００７２】
また、バッテリ１２は、サポートシャーシ３の背面側に配設されているので、バッテリ１２を交換する場合には、器具本体１をアダプタＡから取外すことにより、バッテリ１２の交換操作を行うことができる。さらに、サポートシャーシ３の背面側には、点灯装置２及び補助光源点灯ユニット１０が平面的に配設されているので、照明器具の薄型化が可能となる。
【００７３】
以上のように本実施形態によれば、発光素子６１の温度上昇を抑制するとともにバッテリ１２の温度上昇を抑制し、かつ配線接続を簡素化できる照明器具を提供することが可能となる。
【００７４】
なお、本発明は、上記実施形態の構成に限定されることなく、発明の要旨を逸脱しない範囲で種々の変形が可能である。上記実施形態においては、導光板を用いて室内の照明を行う形式の照明器具について説明したが、この形式の照明器具に限定されるものではない。例えば、シャーシの前面側に主光源として複数の発光素子が実装された基板を、その実装面を前面側（下方側）に向けて配設し、一方、シャーシの背面側にバッテリを基板の配設位置と位置をずらせて、すなわち、基板の配設位置と重ならないように配設するようにしたものであってもよい。
【００７５】
このような構成により、基板がシャーシの前面側に配設されるのに対し、バッテリは、シャーシの背面側に配設され、しかも、相互の配設位置が重ならないようになるので、バッテリは、主光源から熱的に離間して配設されるようになり、バッテリの温度上昇を抑制することが可能となる。
【符号の説明】
【００７６】
１・・・器具本体、２・・・点灯装置、
３・・・サポートシャーシ、４・・・センターシャーシ、
６・・・主光源部、７・・・導光板、
８・・・補助部品ユニット、９・・・本体枠、
１０・・・補助光源点灯ユニット、１２・・・バッテリ、
２１・・・点灯装置のケース部材、２２・・・回路基板、
２３・・・回路部品、３１・・・凹部、
４２・・・センターシャーシの開口、６１・・・発光素子、
６２・・・基板、７１・・・導光板の開口、
７２・・・光入射端面、８３・・・補助光源（保安灯）、
Ｃ・・・器具取付面（天井面）、Ｃｂ・・・配線器具（引掛けシーリングボディ）
【図１】
2012248456.tif 000003
【図２】
2012248456.tif 000004
【図３】
2012248456.tif 000005
【図４】
2012248456.tif 000006
【図５】
2012248456.tif 000007
【図６】
2012248456.tif 000008
【図７】
2012248456.tif 000009
【図８】
2012248456.tif 000010
【図９】
2012248456.tif 000011
【図１０】
2012248456.tif 000012
【図１１】
2012248456.tif 000013